(57)【特許請求の範囲】
【請求項１】
海底に所定の深さに配設するパイル基礎（５０）と、
前記パイル基礎（５０）上で該パイル基礎（５０）と一体に垂直に立設されるプレキャストコンクリート柱（２０）と、
前記プレキャストコンクリート柱（２０）上に配設され、底面が海水面から所定の深さに沈み、上面が海水面から所定の高さに突出するプレキャストコンクリート箱部材（１０）と、
前記プレキャストコンクリート箱部材（１０）を係留部材（６０）で固定させるために海底に配設するアンカー（７０）とを有するとともに、
前記プレキャストコンクリート柱（２０）の外部には、前記プレキャストコンクリート箱部材（１０）及びプレキャストコンクリート柱（２０）の自重による沈下を防止するための浮子（４０）が更に備えられていることを特徴とするパイル基礎を用いる防波堤構造物。
【請求項２】
前記パイル基礎（５０）がサクションパイルであることを特徴とすることを特徴とする請求項１記載の防波堤構造物。
【発明の詳細な説明】
【０００１】
【発明の属する技術分野】
本発明は、防波堤構造物に関し、より詳しくは、施工コストが低廉で且つ施工が容易な構造を有する防波堤構造物に関する。
【０００２】
【従来の技術】
一般に、波から港口、船舶等を保護するために外港から押し寄せてくる波を遮断するための施設物として防波堤構造物を建てる。防波堤構造物を施工する一般的な方法としては、コンクリートを打設して基礎防波堤を施工した後、テトラポッド（Tetrapod）等のような消波ブロックを海底に大量に配設する方法（特許文献１）があり、その他に、浮上がり式防波堤がある（特許文献２）。
【０００３】
【特許文献１】
特開平６−２３５２１０号公報。
【特許文献２】
特開２００２−３３９３３２号公報。
【０００４】
【発明が解決しようとする課題】
前記のような消波ブロックを配設して防波堤構造物を施工する従来の方法では、外港と内港との間における海水の循環が円滑に行われないことから内港の水質が悪化するという問題点がある。
浮上がり式防波堤の場合、前記のような従来の方法に比べて海水の円滑な循環を成し遂げることができ、経済的にも消波ブロック型防波堤構造物に比べて低いコストで防波堤が施工できるという長所があるが、部材が水上に浮上がっている状態であるため、消波作用が完璧に行われないという問題点がある。
【０００５】
本発明は、かかる従来の技術の問題点に鑑みてなされたものであり、本発明の目的は、施工コストが低廉で且つ内港と外港との円滑な海水の循環を可能にし、消波作用に優れている新規な構造の防波堤構造物を提供することにある。
【０００６】
【課題を解決するための手段】
前記した目的を達成するための本発明は、海底に所定の深さに配設するパイル基礎と、
前記パイル基礎上で該パイル基礎と一体に垂直に立設されるプレキャストコンクリート柱と、
前記プレキャストコンクリート柱上に配設され、底面が海水面から所定の深さに沈み、上面が海水面から所定の高さに突出するプレキャストコンクリート箱部材と、
前記プレキャストコンクリート箱部材を係留部材で固定させるために海底に配設するアンカーとを有するとともに、
前記プレキャストコンクリート柱の外部には、前記プレキャストコンクリート箱部材及びプレキャストコンクリート柱の自重による沈下を防止するための浮子が更に備えられていることを特徴とする。
【０００７】
また、本発明による前記防波堤構造物は、前記プレキャストコンクリート柱の外部に、前記プレキャストコンクリート箱部材及びプレキャストコンクリート柱の自重による沈下を防止するための浮子を更に備えることもできる。
【０００８】
また、本発明による前記防波堤構造物において、前記パイル基礎をサクションパイルで構成することもできる。
【０００９】
【発明の実施の形態】
以下に、添付図面を参照しながら、本発明にかかる防波堤構造物の好適な一実施の形態について詳細に説明する。
【００１０】
図１は、本発明の一実施の形態に係る防波堤構造物の概略的な斜視図であり、図２は、図１に示す防波堤構造物の側断面図である。
【００１１】
本発明による防波堤構造物は、海底に所定の深さに入り込んでいるパイル基礎５０と、このパイル基礎５０上に配設されるプレキャストコンクリート柱２０と、このプレキャストコンクリート柱２０上に配設されるプレキャストコンクリート箱部材１０で構成される。図１においてパイル基礎５０は、海底に入り込んでいる状態であるため、破線で示している。
【００１２】
波に対する前記プレキャストコンクリート箱部材１０の抵抗力を増大させるために、海底にアンカー７０を配設し、ワイヤのような係留部材６０を用いてプレキャストコンクリート箱部材１０とアンカー７０とを連結することによりプレキャストコンクリート箱部材１０を更に堅く固定させる。図１においてアンカー７０は、海底に入り込んでいる状態であるため、破線で示している。
【００１３】
前記パイル基礎５０は、サクションパイル等の公知の方法を用いて施工することができる。サクションパイルについては、米国特許第６,２２７,１３８号及び国際特許出願公報ＷＯ９９２２９８３に詳細に開示されているため、サクションパイルの施工方法に係る具体的な説明を省略する。
【００１４】
前述のパイル基礎５０の施工が完了すると、パイル基礎５０上にプレキャストコンクリート柱２０が配設される。このプレキャストコンクリート柱２０は、工場で予め製作して現場まで搬送し、その長さは、防波堤構造物の配設が完了した時のプレキャストコンクリート柱２０の上端部が海水面から所定の深さに沈んで位置し得る長さに製作することが好ましい。
【００１５】
図３には、前記プレキャストコンクリート柱２０とパイル基礎５０との連結部の拡大断面図が示されている。同図に示すように、プレキャストコンクリート柱２０に配筋してある鉄筋の一部２１とパイル基礎５０に配筋してある鉄筋の一部５１をそれぞれ外部に露出させた後、該露出した鉄筋の一部２１、５１上に水中コンクリートを打設して連結部を形成することにより、プレキャストコンクリート柱２０とパイル基礎５０とが堅く連結される。前記連結部の形成のための水中コンクリートは、打設管（図示せず）を前記連結部の形成部位まで至るようにし、海上で打設管内に水中コンクリートを注ぎ込んで打設する。
【００１６】
水中コンクリートの養生が完了し、連結部の施工が完了すると、プレキャストコンクリート柱２０の上端にプレキャストコンクリート箱部材１０が配設される。前記プレキャストコンクリート箱部材１０は、海水面に位置して実質的に消波作用を行う構造物であって、工場で予め製作し現場に搬送してプレキャストコンクリート柱２０と組み立てる。
図４（ａ）は、本発明によるプレキャストコンクリート箱部材の実施例の概略を示す斜視図であり、図４（ｂ）は、本発明によるプレキャストコンクリート箱部材を挿入孔が形成されている底面を上側にして示す斜視図である。同図に示すように、プレキャストコンクリート箱部材１０の底面には、プレキャストコンクリート柱２０が内挿できる挿入孔１１が形成されている。
【００１７】
前記プレキャストコンクリート箱部材１０の長手方向の側面には、隣接するプレキャストコンクリート箱部材１０との連結力の強化のために垂直に凹み部１２が形成されている。両側のプレキャストコンクリート箱部材１０を向かい合わせた後、前記凹み部１２に鉄筋を配筋し、水中コンクリートを打設して隣り合うプレキャストコンクリート箱部材１０を一体に連結する。
【００１８】
前記プレキャストコンクリート箱部材１０は、配設完了後のプレキャストコンクリート箱部材１０の上端が海水面から所定の高さに突出できるべく十分な高さを有して製作することが好ましい（図２参照）。かかるプレキャストコンクリート箱部材１０の高さを決める時は、潮の干満の差を考慮する必要がある。
【００１９】
前記プレキャストコンクリート箱部材１０の配設が完了すると、プレキャストコンクリート箱部材１０が波により流失したり倒れたりすることを防止するために、プレキャストコンクリート箱部材１０により施工される防波堤の長手方向に並んで多数のアンカー７０を配設する（図１参照）。
【００２０】
この際、使用されるアンカー７０としては、一般のパイルアンカーを使用することもできるが、本願出願人が提案したところがある分離型アンカーを使用することもできる。本出願人が提案した分離型アンカーは、サクションパイルの動作によりパイル内の水を吐出すと、アンカーが海底面に押圧され海底面に貫入し、アンカーが海底面に入り込んだ後は、油圧ジャッキを作動させ、サクションパイルとアンカーとを分離する構成をなしている。
【００２１】
アンカー７０が配設されると、ワイヤや鉄鎖のような係留部材６０でプレキャストコンクリート箱部材１０とアンカー７０とを連結することにより、プレキャストコンクリート箱部材１０を堅く保持する。
【００２２】
一方、防波堤の施工が完了した後、プレキャストコンクリート箱部材１０及びプレキャストコンクリート柱２０の自重により沈下が発生し得るが、かかる沈下により係留部材６０が弛むことがある。この場合、アンカー７０の存在が有名無実となり、波により防波堤が破損若しくは流失され得るという問題点がある。
【００２３】
本発明では、このような沈下を抑えるために、プレキャストコンクリート柱２０に空気入り袋や発泡スチロールのような浮子４０を設ける（図２参照）。かかる浮子４０により防波堤構造物の自重が軽減され、前記のような沈下を防止できるようになる。
【００２４】
【発明の効果】
以上説明したように、本発明による防波堤構造物は、パイル基礎５０上にプレキャストコンクリート柱２０を配設し、このプレキャストコンクリート柱２０上にプレキャストコンクリート箱部材１０を配設して防波堤構造物を構築しているため、プレキャストコンクリート箱部材１０の下方に空間が形成され、該空間を通じて内港と外港との間の海水の循環が円滑に行われ得る。
【００２５】
また、本発明の防波堤構造物は、従来の浮上り式防波堤構造物とは異なって、プレキャストコンクリート箱部材１０が海底面に固定されているため、消波作用に優れており、多数の消波ブロックを設けなくても済むため、設置コストが節減されるという長所がある。
【００２６】
また、本発明の防波堤構造物では、プレキャストコンクリート柱２０に浮子４０を設ける場合、前記防波堤構造物の自重を軽減することができ、防波堤構造物の自重による沈下に効率良く対応することができる。
【図面の簡単な説明】
【図１】  本発明の一実施の形態による防波堤構造物の概略的な斜視図である。
【図２】  図１に示す防波堤構造物の側断面図である。
【図３】  本発明による防波堤構造物における前記プレキャストコンクリート柱とパイル基礎との連結部の拡大断面図である。
【図４】  （ａ）は本発明によるプレキャストコンクリート箱部材の実施例の概略を示す斜視図であり、（ｂ）は本発明によるプレキャストコンクリート箱部材を挿入孔が形成されている底面を上側にして示す斜視図である。
【符号の説明】
１０・・・プレキャストコンクリート箱部材
１２・・・凹み部
２０・・・プレキャストコンクリート柱
４０・・・浮子
５０・・・パイル基礎
６０・・・係留部材
７０・・・アンカー
【図１】
0003713263.tif 000002
【図２】
0003713263.tif 000003
【図３】
0003713263.tif 000004
【図４】
0003713263.tif 000005